(57)【要約】【課題】粉末洗剤等の粉末状物質が充填された袋について、箱形の容器本体内に置いた状態では袋を容易に開口することができるが、流通過程等において袋が容器本体内に置かれていない状態では、袋が不用意に開封することを防止する。【解決手段】上面に開口部を有する箱形の容器本体２と、容器本体２の開口部を覆う蓋３とを備えた箱形容器１に収容される、粉末状物質Ｐが充填されたフィルム製の詰替用袋１０Ａである。袋１０Ａは、袋底部にマチ１１を有し、袋上部が平袋型で、袋の外法の幅が上端部に対して底端部で狭い逆テーパー型の形状を有し、幅方向に引裂直進性を有する。袋上部のサイドシール１２内に、袋の幅方向の短線状の易開封加工部（切り込み２２）が、袋の幅方向に単独で、袋の縁辺２０との間につなぎ領域２１を介して形成されている。【選択図】図１
2015034022.tif 000002
【特許請求の範囲】
【請求項１】
上面に開口部を有する箱形の容器本体と、容器本体の開口部を覆う蓋とを備えた箱形容器に収容される、粉末状物質が充填されたフィルム製の詰替用袋であって、
袋底部にマチを有し、袋上部が平袋型で、袋の外法の幅が上端部に対して底端部で狭い逆テーパー型の形状を有すると共に、袋の幅方向に引裂直進性を有し、
袋上部のサイドシール内に、袋の幅方向の短線状の易開封加工部が、袋の幅方向に単独で、袋の縁辺との間につなぎ領域を介して形成されている袋。
【請求項２】
易開封加工部が切り込みである請求項１記載の袋。
【請求項３】
つなぎ領域の幅が０．３ｍｍ以上１．５ｍｍである請求項１又は２記載の袋。
【請求項４】
易開封加工部の幅が１．０ｍｍ以上２．０ｍｍ以下である請求項１又は２記載の袋。
【請求項５】
サイドシールにおける袋の縁辺に開封誘導部が形成されていない請求項１〜４のいずれかに記載の袋。
【請求項６】
サイドシールにおける袋の縁辺に開封誘導部が、易開封加工部に対して並設されている請求項１〜４のいずれかに記載の袋。
【請求項７】
開封誘導部がノッチである請求項６記載の袋。
【請求項８】
つなぎ領域と易開封加工部とを含む小領域が、その周囲に対して異なる色を有する請求項１〜７のいずれかに記載の袋。
【請求項９】
請求項１〜８のいずれかに記載の袋を箱形の容器本体に入れ、容器本体内に袋を置いた状態で、つなぎ領域と易開封加工部が並設された部分から袋を幅方向に引き裂くことにより、袋上部を幅方向に袋の全幅にわたって除去する袋の開封方法。
【発明の詳細な説明】
【技術分野】
【０００１】
本発明は、粉末洗剤等の粉末状物質が充填された袋であって、箱形容器内で使用される詰替袋として好適な袋に関する。
【背景技術】
【０００２】
粉末洗剤等の顆粒ないし粉末の粉末状物質を充填した詰替用袋として、底部にマチを有し、上部が平袋型で、袋の外法の幅が上端部に対して低端部で狭い逆テーパー型のフィルム製の袋に粉末状物質を充填したものがある。この詰替用品は、上面に開口部を有する箱形の容器本体と、容器本体の開口部を覆う蓋とを備えた箱形容器に収容して使用される。
【０００３】
この袋には、それを容器本体内に置いた状態で袋上部を袋の全幅にわたって引き裂いて開口できるように、袋上部のサイドシールの縁辺にノッチ等の開封開始部が形成されている。また、開口時の引裂直進性を高めるために、袋を形成するフィルムとして特定の延伸フィルムが使用されたり、袋の上端側のフィルムに袋の幅方向に伸びたフィルム補強部材が貼着されたりしている（特許文献１）。
【先行技術文献】
【特許文献】
【０００４】
【特許文献１】特開２０１２−２４０６８８号公報
【発明の概要】
【発明が解決しようとする課題】
【０００５】
上述の袋が、一般家庭用の粉末洗剤の詰替用袋として使用される場合、通常、０．５〜２ｋｇ程度の内容物が充填され、流通に乗せられる。しかしながら、袋が逆テーパー型であるために、この袋が把持される場合には、袋上部のトップシールが把持されることが多く、トップシールの端部が把持された状態で袋が持ち上げられると、そこに内容物の荷重が集中し、また、その直下のサイドシールの縁辺にはノッチ等の開封開始部が形成されていることから、開封開始部から袋が不用意に引き裂かれることが懸念される。さらにこの場合、開封開始部が切れ始めると、袋が有する引裂直進性により、袋が大きく開口してしまうことも懸念される。
【０００６】
これに対し、本発明の課題は、粉末洗剤等の粉末状物質が充填された袋について、箱形の容器本体内に置いた状態では袋を容易に開口することができるが、流通過程等において袋が容器本体内に置かれていない状態では、袋が不用意に開口することを防止することに関する。
【課題を解決するための手段】
【０００７】
本発明者は、切り込み等の易開封加工部を、袋のサイドシールの縁辺ではなく、縁辺から間隙をあけた位置に、袋の幅方向に単独に設けると、流通過程において袋の側辺から袋が不用意に開口することを抑制できるが、袋を容器本体内で開口する場合には、容易に袋を開口できることを見出し、本発明を想到した。
【０００８】
即ち、本発明は、上面に開口部を有する箱形の容器本体と、容器本体の開口部を覆う蓋とを備えた箱形容器に収容される、粉末状物質が充填されたフィルム製の詰替用袋であって、袋底部にマチを有し、袋上部が平袋型で、袋の外法の幅が上端部に対して底端部で狭い逆テーパー型の形状を有すると共に、袋の幅方向に引裂直進性を有し、袋上部のサイドシール内に、袋の幅方向の短線状の易開封加工部が、袋の幅方向に単独で、袋の縁辺との間につなぎ領域を介して形成されている袋を提供する。
【０００９】
また、本発明は、上述の袋を箱形の容器本体に入れ、容器本体内に袋を置いた状態で、つなぎ領域と易開封加工部が並設された部分から袋を幅方向に引き裂くことにより、袋上部を幅方向に袋の全幅にわたって除去する袋の開封方法を提供する。
【発明の効果】
【００１０】
本発明の袋によれば、袋上部のサイドシール内に、袋の縁辺からつなぎ領域を介して袋の幅方向に単独で設けた易開封加工部があるので、袋のサイドシールに適度な引裂性を付与することができる。これにより、箱形の容器本体内に置いた状態では袋を容易に開口し、流通過程等において袋が容器本体内に置かれていない状態では、袋が不用意に開口することを防止することができる。
【００１１】
また、本発明の方法によれば、箱形の容器本体内に置いた袋の上部を、その全幅にわたって容易に開口することができる。
【図面の簡単な説明】
【００１２】
【図１】図１は、実施例の袋１０Ａの斜視図である。
【図２】図２は、粉末状物質が充填されていない袋１０Ａの(1)正面図、(2)Ａ−Ａ図及び(3)Ｂ−Ｂ図である。
【図３】図３は、箱形容器に入れた袋１０Ａの開封方法の説明図である。
【図４Ａ】図４Ａは、開口した袋１０Ａが収容されている箱形容器の蓋が開いている状態の斜視図である。
【図４Ｂ】図４Ｂは、開口した袋１０Ａが収容されている箱形容器の蓋が閉じている状態の斜視図である。
【図５Ａ】図５Ａは、実施例の袋１０Ｂの袋上部のサイドシール領域の拡大図である。
【図５Ｂ】図５Ｂは、実施例の袋１０Ｃの袋上部のサイドシール領域の拡大図である。
【図５Ｃ】図５Ｃは、実施例の袋１０Ｄの袋上部のサイドシール領域の拡大図である。
【発明を実施するための形態】
【００１３】
以下、図面を参照しつつ本発明を具体的に説明する。なお、各図中、同一符号は、同一、又は同等の構成要素を表している。
【００１４】
図１は、本発明の一実施例の、粉末状物質が充填されたフィルム製の袋１０Ａの斜視図である。図２は、説明の便宜上、粉末状物質を充填しない状態での袋１０Ａの正面図（１）、Ａ−Ａ図（２）、及びＢ−Ｂ図（３）を示したものである。
【００１５】
図２に示すように、この袋１０Ａでは、袋胴部を形成する表裏一対のフィルムシートがサイドシール１２でシールされ、底部のマチ１１を形成するフィルムと袋胴部を形成するフィルムシートとがヘムシール１４でシールされ、上端部がシール幅の広いトップシール１３でシールされている。このトップシール１３の幅Ｌ1は、トップシール１３を摘み、袋上部のサイドシール１２から袋１０Ａを引き裂きやすくするため、１０ｍｍ以上とすることが好ましい。
【００１６】
袋１０Ａの両側部のサイドシール１２は、マチ１１の領域では袋１０Ａの底端縁に対して傾いた斜めシール部１２ａとなっている。この斜めシール部１２ａの縁辺と底端縁の延長線との挟む角度θは、好ましくは４０°以上５０°以下、より好ましくは４５°である。これより、袋１０Ａの底部の外形が矩形になるので、袋１０Ａを箱形容器１の容器本体２に収容したときに、袋１０Ａの外形を容器本体２の内側形状にうまく沿わせることができる（図４Ａ参照）。
【００１７】
袋１０Ａの上部は、トップシール１３とサイドシール１２により平袋型となっている。このため、図２に示すように、底端部における袋１０Ａの外法の幅Ｗ1 が、袋１０Ａの上端部における袋の外法の幅Ｗ2 よりも狭くなり、袋１０Ａに粉末状物質が充填されると、図１に示すように、上端部に対して下端部の幅が狭い逆テーパー型となり、マチ１１により形成される底部の面積を容器本体２の底面の面積と同等以下にすることができる。したがって、容器本体２内の袋１０Ａを詰め替えるときに、容易に袋１０Ａを容器本体２に挿入することができる。また、この袋１０Ａには、底部にヘムシール１４が形成されているので、内容物である粉末状物質が袋１０Ａに充填されると、袋１０Ａの底部のマチ１１が袋１０Ａの厚み方向に広がるため、詰替袋単体としての自立性が安定する。
【００１８】
トップシール１３上には、帯状のフィルム補強部材１５が、トップシール１３の下辺とフィルム補強部材１５の下辺とが重なるように貼着されている。このフィルム補強部材１５は、袋１０Ａに、その幅方向の引裂直進性を付与する。即ち、袋１０Ａを容器本体２内におき、トップシール１３を摘み上げてサイドシール１２の上部から袋１０Ａを引き裂くと、袋１０Ａはフィルム補強部材１５の下辺に沿って直線的に引き裂かれ易くなる。なお、袋１０Ａの幅方向の引裂直進性は、後述するように、袋１０Ａの胴部を形成するフィルムとして引裂直進性を有するものを使用することによっても付与される。
【００１９】
フィルム補強部材１５の帯幅Ｌ2は、フィルム補強部材１５の貼着効果を十分に得る点から、３ｍｍ以上とすることが好ましい。フィルム補強部材１５を形成するフィルムとしては、ＯＰＰ（ニ軸延伸ポリプロピレン）、ＰＥＴ、ＯＮｙ（二軸延伸ナイロン）等のフィルムを使用することができる。これらのフィルム厚は、袋１０Ａを開封するときの開封ラインの引裂直進性を向上させる点、及びトップシール１３をシールするときにシールバーとフィルムとに段差ができないようにする点から８０μｍ以下が好ましく、１２μｍ以上５０μｍ以下がより好ましい。
【００２０】
サイドシール１２は袋１０Ａの両側部において上下方向に延びており、袋上部のサイドシール１２内には、袋１０Ａの縁辺２０からつなぎ領域２１を介した位置に、袋１０Ａの幅方向の短線状の切り込み２２が易開封加工部として設けられている。このつなぎ領域２１は、サイドシール１２を形成しているフィルムシートに対し、切り込み、レーザー加工等の易開封加工が施されていない領域である。また、切り込み２２は、袋の幅方向に延びるように単独で設けられており、ミシン目のように複数の切り込みが所定間隔で連設したものではない。さらに、この袋１０Ａには、サイドシール１２における袋の縁辺２０にノッチ等の開封誘導部が形成されていない。このように、袋の縁辺２０に開封誘導部を形成せず、袋の縁辺２０からつなぎ領域２１をあけて切り込み２２を設けることにより、流通過程でトップシール１３の端部が持ち上げられても袋１０Ａが不用意に開口することを防止することができ、また、袋１０Ａの縁辺２０が、店頭で商品を陳列する場合などの過酷なハンドリングによっても伸びたり引き裂かれたりすることを防止でき、かつ、袋１０Ａを容器本体２内においてトップシール１３を摘み上げ、袋上部を引き裂く場合には、切り込み２２と袋１０Ａが有する幅方向の引裂直進性により、容易に袋の全幅を引き裂いて袋１０Ａを開口することができる。これに対し、単独の切り込み２２に代えてミシン目を設けると、この部分が過度に引き裂きやすくなり、袋１０Ａが不用意に開口する恐れが生じる。
【００２１】
ここで、サイドシール１２の引裂性の制御の点から、サイドシールの幅が５ｍｍ以上１５ｍｍ以下の場合に、つなぎ領域２１の幅Ｌ3は０．３ｍｍ以上１．５ｍｍ以下が好ましく、０．３５ｍｍ以上１．０ｍｍ以下がより好ましい。切り込み２２の長さＬ4は、１．０ｍｍ以上２．０ｍｍ以下が好ましく、切り込み２２とトップシール１３との距離Ｌ5は、１０ｍｍ以内とすることが好ましく、５ｍｍ以内とすることがより好ましい。
【００２２】
また、切り込み２２と袋１０Ａの底端縁との距離Ｌ6については、開口した袋１０Ａが容器本体２に収容されている状態で、袋１０Ａの開口面が容器本体２の開口面とそろうか、袋１０Ａの開口面が容器本体２の開口面よりも若干下に位置するように、容器本体の深さとこの距離Ｌ6との差が０ｍｍ以上５ｍｍ以下となるようにすることが好ましい。
【００２３】
なお、つなぎ領域２１と切り込み２２とを含む小領域は、その周囲に対して異なる色に形成することが好ましい。この袋１０Ａには、サイドシール１２における袋の縁辺２０にノッチ等の開封誘導部が形成されておらず、切り込み２２も外観上目立たないので、この小領域が色で識別できないと、消費者には袋の開封時に引き裂きを開始すべき位置がわかりにくいが、色で識別できるようにすることにより、消費者は袋の引き裂くべき位置が容易にわかるようになる。
【００２４】
袋１０Ａの胴部の周長は、容器本体２の内寸の周長と略同寸とすることが好ましい。これにより、図４Ａに示すように、袋１０Ａを切り込み２２近傍から開封した後は、袋１０Ａ内の粉末状物質Ｐが広がろうとすることにより、袋１０Ａの周面の略全面が容器本体２の内壁に押し付けられる。このため、袋１０Ａは開口形状が広く安定し、粉末状物質Ｐを計量スプーンですくいやすくなる。ここで、同寸法程度とは、袋１０Ａの上端開口部の周長が容器本体２の内寸の周長に対して過度に短いことにより、袋１０Ａの上端開口部が内側に倒れたり、反対に袋１０Ａの上端開口部の周長が過度に長いことにより袋１０Ａに大きなたるみができたりする場合を含まず、容器本体２内で袋１０Ａの上端開口部が内側に倒れず、かつ袋１０Ａの上端部にたるみができない程度に袋１０Ａの開口部口の周長と容器本体２の内寸の周長が同程度であることをいう。
【００２５】
袋１０Ａの胴部を形成するフィルムとしては、ポリエチレンテレフタレート等のポリエステル；ナイロン等のポリアミド；低密度ポリエチレン(LDPE)、リニア低密度ポリエチレン(L-LDPE)、延伸ポリプロピレン（OPP）、無延伸ポリプロピレン（CPP）等のオレフィン系フィルム等が挙げられ、単層又は積層フィルムとして使用できる。中でも、延伸などにより引裂直進性を有するフィルムが好ましく、特に、袋１０Ａを形成するフィルムを外側表層及び／又は中間層と内側シーラント層とを備えた積層フィルムとする場合、内側シーラント層と、外側表層及び／又は中間層がそれぞれ袋の幅方向の引裂直進性を有することが好ましい。内側シーラント層で引裂直進性を有するものとしては、リニア低密度ポリエチレン(L-LDPE)等に対して易カット加工を施したものが好ましい。
【００２６】
なお、引裂直進性を有するフィルムを使用する場合に、袋１０Ａの全体で使用してもよいが、落下などに対して袋底部の耐衝撃性を向上させる点から、袋底部のマチ１１を形成するフィルムとしては、引裂直進性をもたない一般物性の積層フィルム（OPP,PET,LDPE,L-LDPE）を使用することが好ましい。
【００２７】
袋１０Ａの胴部を形成するフィルムの厚さとしては、内容物が無い状態でも袋１０Ａが自立する程度にフィルムがコシを有するように、好ましくは４０μｍ以上２００μｍ以下、より好ましくは１００μｍ以上１５０μｍ以下とする。これにより、袋１０Ａを開封後、袋１０Ａ内の粉末状物質の使用に伴って粉末状物質が減り、粉末状物質が袋１０Ａを容器本体２の内壁に押し付ける位置が下がっても、袋１０Ａが開口状態を維持し、粉末状物質の取り出しやすさを保つことができる。なお、袋１０Ａの自立性は、前述のように、袋１０Ａの底部にヘムシール１４を形成することによっても向上させることができる。
【００２８】
一方、袋１０Ａを収容する容器本体２としては、板紙、プラスチックシート、プラスチックボックス等の板紙状材料を用いて形成された直方体型の容器とすることができる。また、容器本体２の蓋３は、容器本体２の上面開口部を覆うものであればよく、例えば、その一縁辺が容器本体２の背面とヒンジ状に結合したものを使用することができる（図４Ａ、図４Ｂ参照）。
【００２９】
この袋１０Ａの開封方法としては、まず、内容物が充填されている未開封の袋１０Ａを箱形容器１の容器本体２内に置き、次いで、図３に示すように、袋本体１０Ａを容器本体２に置いた状態で、つなぎ領域２１と切り込み２２が並設された部分から袋１０Ａをその幅方向に引き裂く。これにより袋１０Ａは、全幅にわたって直線的に引き裂かれ、袋１０Ａの上端部が除去され、残った袋１０Ａは、図４Ａに示すように、袋１０Ａ内の粉末状物質Ｐによって容器本体２の内壁に矢印で示すように押し付けられ、広く開口する。
【００３０】
本発明の袋は種々の態様をとることができる。例えば、切り込み２２に代えて、サイドシール１２内に設ける易開封加工部として、レーザー加工による切断部、ハーフカット部などを設けてもよい。
【００３１】
また、図５Ａ、図５Ｂ、図５Ｃに示すように、サイドシール１２の縁辺には、切り込み２２の延長線上に、開封誘導部として、Ｉノッチ２３ａ、Ｖノッチ２３ｂ、Ｕノッチ２３ｃ等のノッチを並設してもよい。この場合、流通過程において開封誘導部からサイドシール１２が伸びたり、切れたりしないように、サイドシールの幅が５ｍｍ以上１５ｍｍ以下の場合に、開封誘導部における切り込みの長さを１．０ｍｍ以下の寸法で形成することが望ましく、つなぎ領域２１の長さは０．３ｍｍ以上１．０ｍｍ以下とすることが好ましい。
【００３２】
なお、図５Ａに示すようにサイドシール１２の縁辺から引き裂き方向に、Ｉノッチ２３ａ、つなぎ領域２１、切り込み２２、つなぎ領域２４が順次形成される場合でも、つなぎ領域と切り込み（ノッチ）の繰り返しが２回あるにすぎず、ミシン目のようにつなぎ領域と切り込みの繰り返しが多数回（通常、５回以上）行われるものとは異なる。また、つなぎ領域２４の長さが、切り込み２２の長さと切り込み（Ｉノッチ）２３ａの長さの合計に対して必ず長くなる点でも異なる。
【００３３】
本発明において、袋への引裂直進性の付与は、フィルム補強部材１５の貼着によらず、トップシールの下辺に沿った帯状領域に、エンボス、ハーフカット、又は切り込み等を断続的に形成した易開封加工領域を設けてもよい。
【００３４】
なお、上述の袋の変形態様は、適宜組み合わせることができる。
【００３５】
袋に充填する粉末状物質としては、粉末洗剤、砂糖、塩等の顆粒ないし粉末の粉末状物質を挙げることができる。粉末状物質が袋を容器本体２の内壁に押しつける作用により袋を広く開かせる点で、粉末状物質の嵩密度は７００ｇ／Ｌ以上が好ましい。
【産業上の利用可能性】
【００３６】
本発明の袋は、粉末洗剤等の粉末状物質の詰替用品として好適である。
【符号の説明】
【００３７】
１    箱形容器
２    容器本体
３    蓋
１０Ａ、１０Ｂ、１０Ｃ、１０Ｄ    袋
１１    マチ
１２    サイドシール
１２ａ  斜めシール部
１３    トップシール
１４    ヘムシール
１５    フィルム補強部材
２０    縁辺
２１    つなぎ領域
２２    切り込み
２３ａ  Ｉノッチ
２３ｂ  Ｖノッチ
２３ｃ  Ｕノッチ
２４    つなぎ領域
Ｌ1     トップシールのシール幅
Ｌ2     フィルム補強部材の幅
Ｌ3     つなぎ領域の幅
Ｌ4     切り込みの長さ
Ｌ5     切り込みとトップシールとの距離
Ｌ6     切り込みと袋の底端縁との距離
Ｐ      粉末状物質
Ｗ1     底端部における袋の外法の幅
Ｗ2     上端部における袋の外法の幅
【図１】
2015034022.tif 000003
【図２】
2015034022.tif 000004
【図３】
2015034022.tif 000005
【図４Ａ】
2015034022.tif 000006
【図４Ｂ】
2015034022.tif 000007
【図５Ａ】
2015034022.tif 000008
【図５Ｂ】
2015034022.tif 000009
【図５Ｃ】
2015034022.tif 000010